(57)【要約】      （修正有）【課題】  バインダー樹脂を用いなくても充分な接着性と耐熱性とを有する導電性プライマー層を有し、帯電防止性に優れ、印画時におけるトラブルが生じにくい熱転写シートを提供する。【解決手段】  基材シートの一方の面に熱転写性色材層を設け、該基材シートの他方の面にプライマー層を介して耐熱滑性層を設けてなる熱転写シートにおいて、上記プライマー層が導電性コロイド状無機顔料超微粒子を用いて形成してなることを特徴とする熱転写シート。【選択図】図１
2006306089.tif 000002
【特許請求の範囲】
【請求項１】
基材シートの一方の面に熱転写性色材層を設け、該基材シートの他方の面にプライマー層を介して耐熱滑性層を設けてなる熱転写シートにおいて、
前記プライマー層が導電性コロイド状無機顔料超微粒子を用いて形成してなる
ことを特徴とする熱転写シート。
【請求項２】
前記導電性コロイド状無機顔料超微粒子は、アルミナゾルである請求項１記載の熱転写シート。
【発明の詳細な説明】
【技術分野】
【０００１】
本発明は、熱転写シートに関する。
【背景技術】
【０００２】
熱転写を利用した画像の形成に用いられる熱転写シートとして、熱拡散型染料（昇華型染料）からなる染料層をプラスチックフィルム等の基材シート上に設けた昇華型熱転写シートや、該染料層の代わりに顔料とワックスとからなるインキ層を設けた熱溶融型熱転写シートが知られている。これらの熱転写シートは、その背面からサーマルヘッドによって加熱され、染料層の染料又はインキ層の顔料を被転写材に転写させることにより画像を形成するものである。
【０００３】
これらの熱転写シートは、基材フィルムが熱可塑性フィルムである場合、サーマルヘッドにて画像形成を行うと、サーマルヘッドとの接触面の表面固有抵抗値が高くなるので、静電気が発生し、帯電し易いという問題があった。特に、熱溶融型熱転写シートの場合、インキ層の大部分がワックスを主成分とするので、帯電し易い傾向がある。
熱転写シートが帯電すると、熱転写シート表面やサーマルヘッドに埃等が付着し、形成される画像の解像度が低下する問題、紙等の被転写材が帯電することにより、被転写材の搬送性が低下する問題等が生じる。
これらの問題が生じないよう、熱転写シートに帯電防止性を付与する手段が従来より検討されてきた。
【０００４】
熱転写シートに帯電防止性を付与する手段として、例えば、帯電防止剤（導電剤等）を含有するプライマー層を設けることが知られている。
帯電防止剤を含有するプライマー層を設けた熱転写シートとして、帯電防止剤としてスルホン化ポリアニリンと、ポリエステル系樹脂等の硬化性樹脂とを含有するプライマー層を、基材シートの熱転写性色材層を設けた側と反対側の面に、耐熱滑性層との間に介在させて設けた熱転写シートが特許文献１に提案されている。
【０００５】
特許文献１記載のシートと同じ層構成において同じ帯電防止剤を用いた熱転写シートとして、特許文献２には、プライマー層を構成するバインダー樹脂を特定の粘弾特性を有する樹脂（例えば、水分散性又は水溶性ポリエステル樹脂等）に限定したものが提案されている。
【０００６】
帯電防止剤を含有するプライマー層を設けた熱転写シートとして、インジウム、錫等の金属酸化物粉末を導電剤としてバインダー樹脂中に分散した低抵抗のプライマー層を、基材と熱溶融性インキ層との間に設けてなる感熱転写材が特許文献３に記載されている。
【０００７】
しかしながら、以上の導電剤（帯電防止剤）とバインダー樹脂とを用いて導電性プライマー層を形成する技術では、バインダー樹脂の耐熱性が不充分であると、印画時のサーマルヘッドの熱によりプライマー層が擦り取られたり、印画しわが発生したりする問題があるほか、導電剤とバインダー樹脂との相溶性を考慮しなければならず材料の組み合わせには自ずと制約を生じる問題がある。
【０００８】
特定の金属酸化物を用いて導電性層を形成してなるものとしては、該特定金属酸化物を真空蒸着により成膜してなる透明なセラミック蒸着層を耐熱性処理層として、ポリエステルフィルム基材のインキ層を設けた側と反対側の面に設けてなる感熱転写記録媒体が特許文献４で提案されている。該特許文献４では、実施例においてＴｉＯ２のみを用いているが、特定金属酸化物としてＡｌ２Ｏ３を例示している。
このセラミック蒸着層を設けた記録媒体は、しかしながら、耐熱性はあっても、蒸着するための特別な装置が必須であり、製造コストが高くついてしまう問題がある。
【特許文献１】特開２０００−２７２２５４号公報
【特許文献２】特開２００１−１６５３号公報
【特許文献３】特開平２−２０３９０号公報
【特許文献４】特開平８−２６７９４２号公報
【発明の開示】
【発明が解決しようとする課題】
【０００９】
本発明の目的は、上記現状に鑑み、バインダー樹脂を用いなくても充分な接着性と耐熱性とを有する導電性プライマー層を有し、帯電防止性に優れ、印画時におけるトラブルが生じにくい熱転写シートの提供にある。
【課題を解決するための手段】
【００１０】
本発明は、基材シートの一方の面に熱転写性色材層を設け、該基材シートの他方の面にプライマー層を介して耐熱滑性層を設けてなる熱転写シートにおいて、上記プライマー層が導電性コロイド状無機顔料超微粒子を用いて形成してなることを特徴とする熱転写シートである。
以下に、本発明を詳細に説明する。
【００１１】
本発明の熱転写シートは、その層構成の１態様として、例えば、図１に示すように、基材シート（１）の一方の面に熱転写性色材層（２）が形成され、他方の面にプライマー層（３）を介して耐熱滑性層（４）が形成されてなるものである。
【００１２】
（基材シート）
本発明における基材シートとしては、画像形成時の加熱に耐え、取り扱い上支障のない機械的特性を有する各種の紙類、樹脂等からなるものを用いることができる。
上記紙類としては、コンデンサー紙、パラフィン紙等が挙げられる。
上記樹脂としては、ポリエチレンテレフタレート、１，４−ポリシクロヘキシレンジメチレンテレフタレート、ポリエチレンナフタレート、ポリフェニレンサルファイド、ポリスチレン、ポリエチレン、ポリプロピレン、ポリサルホン、アラミド、ポリカーボネート、ポリビニルアルコール、セロハン、酢酸セルロース等のセルロース誘導体、ポリ塩化ビニル、ナイロン、ポリイミド、アイオノマー等が挙げられ、なかでも、ポリエチレンテレフタレート、ポリエチレンナフタレート、又は、その混合物からなるポリエステルが好ましく、ポリエチレンテレフタレートがより好ましい。
【００１３】
本発明における基材シートは、枚葉状であってもよいし、連続フィルム状であってもよい。
上記基材シートの厚みは、一般に０．５〜５０μｍであればよいが、好ましくは１〜１０μｍ、より好ましくは２〜６μｍである。
基材シートの厚みムラは、例えば、該基材シートが延伸フィルムである場合、サーマルヘッドの走行性、印刷ムラ防止等の点で、ＭＤ方向、ＴＤ方向共に平均厚みの±５％以内であることが好ましい。
上記基材シートの厚みは、ＪＩＳ  Ｃ  ２１５１−１９９０に準拠してマイクロメーター法により測定したものである。
【００１４】
上記基材シートは、プライマー層が、導電性コロイド状無機顔料超微粒子を用いて形成してなるものであるので、基材とプライマー層との接着性に優れているが、該接着性を更に向上させるため、基材のプライマー層及び染料層を形成する面に接着処理を施すことが好ましい。
上記接着処理としては、コロナ放電処理、火炎処理、オゾン処理、紫外線処理、放射線処理、粗面化処理、化学薬品処理、プラズマ処理、低温プラズマ処理、プライマー処理、グラフト化処理等、公知の樹脂表面改質技術を適用することができる。上記接着処理は、１種のみ行ってもよいし、２種以上行ってもよい。
本発明では、上記接着処理の中でも、コストが高くならずに基材とプライマー層との接着性を高めることができる点で、コロナ放電処理又はプラズマ処理が好ましい。
【００１５】
（熱転写性色材層）
本発明における熱転写性色材層は、印画形成する色材を担持する層であって、上記基材シートの一方の面に形成するものである。
上記熱転写性色材層は、互いに異なる色材を有する層を面順次に形成したものであってもよい。
上記熱転写性色材層は、本発明の熱転写シートが昇華型熱転写シートである場合、昇華性染料を含有する染料層であり、熱溶融型熱転写シートである場合、顔料とワックスとからなるインキ層である。
以下、昇華性染料を含有する染料層を主に説明するが、本発明の熱転写シートは昇華型熱転写シートのみに限定されるものではない。
【００１６】
本発明における染料層は、昇華性染料がバインダー樹脂により担持して形成されてなるものである。
上記昇華性染料としては、従来公知の昇華型熱転写シートに使用されている染料が使用できる。
上記昇華性染料としては、例えば、ジアリールメタン系；トリアリールメタン系；チアゾール系；メロシアニン等のメチン系；インドアニリン系、アセトフェノンアゾメチン、ピラゾロアゾメチン、イミダゾルアゾメチン、ピリドンアゾメチン等のアゾメチン系；キサンテン系；オキサジン系；ジシアノスチレン、トリシアノスチレン等のシアノメチレン系；チアジン系；アジン系；アクリジン系；ベンゼンアゾ系；ピリドンアゾ、チオフェンアゾ、イソチアゾールアゾ、ピロールアゾ、ピラゾールアゾ、イミダゾールアゾ、チアジアゾールアゾ、トリアゾールアゾ，ジスアゾ等のアゾ系；スピロピラン系；インドリノスピロピラン系；フルオラン系；ローダミンラクタム系；ナフトキノン系；アントラキノン系；キノフタロン系；等が挙げられる。これらの中から、色相、印画濃度、耐光性、保存性、バインダーへの溶解性等の特性を考慮して適宜染料を選択使用される。
上記染料は、塗布乾燥して得られた染料層中５〜９０質量％の量で存在するのが好ましく、１０〜７０質量％の量で存在するのがより好ましい。
【００１７】
上記バインダー樹脂としては、例えば、エチルセルロース、ヒドロキシエチルセルロース、エチルヒドロキシセルロース、ヒドロキシプロピルセルロース、メチルセルロース、酢酸セルロース、酪酸セルロース等のセルロース系樹脂；ポリビニルアルコール、ポリ酢酸ビニル、ポリビニルブチラール等のポリビニルアセタール、ポリビニルピロリドン等のビニル系樹脂；ポリ（メタ）アクリレート、ポリ（メタ）アクリルアミド等のアクリル系樹脂；ポリウレタン系樹脂；ポリアミド系樹脂；ポリエステル系樹脂等が挙げられるが、なかでも、耐熱性、染料の移行性等の点で、セルロース系樹脂、ビニル系樹脂、アクリル系樹脂、ポリウレタン系樹脂、ポリエステル系樹脂等が好ましい。
【００１８】
上記染料層は、基材シートの一方の面に、上述の染料及びバインダー樹脂を溶媒等に適宜分散又は溶解して調製した染料層用塗工液を、塗布し、乾燥することにより形成することができる。
上記染料層用塗工液において、上記染料は、染料層中に上記範囲内で含有するよう添加することができる。
上記染料層用塗工液において、染料及びバインダー樹脂の合計量、即ち固形分濃度は、使用する各材料の種類等に応じて適宜選択することができるが、一般に５〜２０質量％である。
上記染料層用塗工液は、上述の染料及びバインダー樹脂に加え、必要に応じ、公知の添加剤を加えたものであってもよい。上記添加剤としては、例えば、後述の離型層に添加する材料（離型剤）等が挙げられる。
上記溶剤としては、染料層用塗工液の材料として従来公知のものであれば特に限定されず、例えば、アセトン、水、メタノール、メチルエチルケトン、トルエン、エタノール、イソプロピルアルコール、シクロヘキサノン、ジメチルホルムアミド〔ＤＭＦ〕、酢酸エチル、これらの溶剤の混合溶剤等が使用でき、なかでも、メチルエチルケトンとトルエンとの混合溶剤が好ましい。
【００１９】
上記染料層用塗工液は、例えば、グラビア印刷法、スクリーン印刷法、グラビア版を用いたリバースロールコーティング法等の公知の手段にて塗布することができる。
上記染料層は、所望の画像がモノカラーである場合は、１色の染料を選択し、該染料を含有する層を１層形成することより作製することができ、所望の画像がフルカラーである場合は、例えば、適当なシアン、マゼンタ及びイエロー（更に必要に応じてブラック）の各色素を選択して、各色素のうち何れか１つを含有する層をそれぞれ形成させることにより作製することができる。
上記染料層の乾燥後塗布量は、約０．２〜５ｇ／ｍ２であることが好ましく、約０．４〜２ｇ／ｍ２であるであることがより好ましい。
【００２０】
本発明において、熱転写受像シートとの粘着防止を目的として、上記熱転写性色材層の表面に離型層を設けてもよい。
上記離型層は、例えば、粘着防止性の無機粉末を付着させて形成した層；シリコーンポリマー、アクリルポリマー、フッ素化ポリマー等の離型性に優れた樹脂からなる層；等が挙げられる。
上記離型層の乾燥後塗布量は、約０．０１〜５ｇ／ｍ２、好ましくは約０．０５〜２ｇ／ｍ２である。
【００２１】
（プライマー層）
本発明におけるプライマー層は、基材シートの熱転写性色材層と反対側の面に設けられ、熱転写シートに帯電防止性を付与すると共に、基材シートと耐熱滑性層を良好に接着せしめる為に設けるものである。
【００２２】
上記プライマー層は、導電性コロイド状無機顔料超微粒子を用いて形成してなるものである。
上記導電性コロイド状無機顔料超微粒子としては、例えば、ケイ酸アルミニウム、ケイ酸マグネシウム等のケイ酸金属塩；アルミナ又はアルミナ水和物（アルミナゾル、コロイダルアルミナ、カチオン性アルミニウム酸化物又はその水和物、疑ベーマイト等）、酸化マグネシウム、酸化チタン等の金属酸化物類；炭酸マグネシウム等の炭酸塩；等、従来公知の化合物を使用することができるが、金属酸化物類、炭酸塩が好ましく、金属酸化物類がより好ましく、アルミナ又はアルミナ水和物が更に好ましく、特に、アルミナゾルが好ましい。
上記プライマー層は、上記導電性コロイド状無機顔料超微粒子として１種のみからなるものであってもよいし、上記導電性コロイド状無機顔料超微粒子として２種以上からなるものであってもよい。
【００２３】
上記導電性コロイド状無機顔料超微粒子の平均粒径は、通常１００ｎｍ以下、好ましくは５０ｎｍ以下、特に好ましくは３〜３０ｎｍである。
上記導電性コロイド状無機顔料超微粒子は、平均粒径が上記範囲内にある場合、上述の帯電防止性、接着性等に関する効果を充分に発揮できる。
本発明において、上記導電性コロイド状無機顔料超微粒子は、水系溶媒にゾル状に分散しやすくする目的で、塩酸、酢酸等の分散安定剤を配合して酸性タイプに処理したものであってもよいし、微粒子電荷をカチオンにしたものであってもよいし、表面処理したものであってもよい。
本発明における導電性コロイド状無機顔料超微粒子は、例えば、アルミナゾル１００（日産化学工業社製）、アルミナゾル２００（日産化学工業社製）等、市販品であってもよい。
本明細書において、上記平均粒径は、電子顕微鏡観察により測定したものである。
【００２４】
上記プライマー層は、一般に、導電性コロイド状無機顔料超微粒子からなる水性のプライマー層用塗工液を基材シート上に塗布し、乾燥することにより形成することができる。上記プライマー層は、後述のゾルゲル法を用いて形成してなるものがより好ましい。
上記プライマー層は、水性のプライマー層用塗工液を用いて形成することができるので、帯電防止性能に優れていることに加え、導電剤をバインダー樹脂に分散させてなる従来の塗工液から形成されたプライマー層に比べ、基材シートとの接着性が良好であり、バインダー樹脂を用いず、ゾルゲル法等の簡易な方法で形成できるので製造コストが低い。
【００２５】
上記プライマー層用塗工液は、水性媒体に導電性コロイド状無機顔料超微粒子を分散させることにより調製することができる。
上記プライマー層用塗工液における水性媒体としては、水、イソプロピルアルコール等の水溶性アルコール、水と水溶性アルコールとの混合液等が挙げられる。
上記プライマー層用塗工液は、導電性コロイド状無機顔料超微粒子が水性媒体１００質量部に対し１〜３００質量部であることが好ましい。
【００２６】
本発明において、プライマー層用塗工液は、染料層用塗工液と同様、公知の手段により塗布することができる。
上記プライマー層用塗工液は、乾燥後塗布量が０．１〜１０ｇ／ｍ２となる量で塗布することができるが、優れた帯電防止性を付与する点で、乾燥後塗布量が、好ましくは０．１５ｇ／ｍ２以上、より好ましくは０．２ｇ／ｍ２以上となる量で塗布することができ、また、帯電防止性が充分である点で、乾燥後塗布量が、好ましくは５ｇ／ｍ２以下、より好ましくは３ｇ／ｍ２以下となる量で塗布することができる。
即ち、本発明におけるプライマー層は、導電性コロイド状無機顔料超微粒子の使用量が従来の導電剤より少なくても、帯電防止効果を発揮することができる。
上記乾燥は、通常、導電性コロイド状無機顔料超微粒子がゾル状から乾燥ゲル状になるよう、９０〜１３０℃の熱風にさらす等して行う。本発明におけるプライマー層は、上記乾燥工程を経て形成されるので、導電性無機顔料超微粒子が固着した状態にあり、強度が高く、帯電防止性能が安定して良い。本発明の熱転写シートは、上記プライマー層を有しているので、環境変化に依存しない安定した帯電防止性能を発揮することも可能である。
本明細書において、各塗工液の乾燥後塗布量は、測定対象となる塗工液を塗布する前と該塗工液を塗布、乾燥した後の各シートの質量を分析天びん（ＡＵＸ２２０、島津製作所社製）を用いて測定し、その質量差を塗布部分の面積で除して求めたものである。  
【００２７】
（耐熱滑性層）
本発明における耐熱滑性層は、耐熱性、印画時におけるサーマルヘッドの走行性等を向上させる目的で、上記プライマー層の上に熱可塑性樹脂を用いて形成されるものである。
上記熱可塑性樹脂としては、ポリエステル系樹脂；ポリアクリル酸エステル系樹脂；ポリ酢酸ビニル系樹脂；スチレンアクリレート系樹脂；ポリウレタン系樹脂；ポリエチレン系樹脂、ポリプロピレン系樹脂等のポリオレフィン系樹脂；ポリスチレン系樹脂；ポリ塩化ビニル系樹脂；ポリエーテル系樹脂；ポリアミド系樹脂；ポリイミド系樹脂；ポリアミドイミド系樹脂；ポリカーボネート系樹脂；ポリアクリルアミド樹脂；ポリビニルクロリド樹脂；ポリビニルブチラール樹脂、ポリビニルアセトアセタール樹脂等のポリビニルアセタール樹脂；等の熱可塑性樹脂、これらのシリコーン変性物等が好ましく、耐熱性等の点で、ポリアミドイミド系樹脂又はそのシリコーン変性物等がより好ましい。
【００２８】
上記耐熱滑性層は、上記熱可塑性樹脂に加え、スリップ性を向上させる目的で、ワックス、高級脂肪酸アミド、エステル、金属石鹸、シリコーンオイル、界面活性剤等の熱離型剤；フッ素樹脂等の有機粉末；シリカ、クレー、タルク、炭酸カルシウム等の無機粒子；等の各種添加剤を配合してなるものであってもよい。
【００２９】
上記耐熱滑性層は、耐熱滑性層用塗工液を調製し、この塗工液を塗布し、乾燥することにより形成することができる。
上記耐熱滑性層用塗工液は、上記熱可塑性樹脂と溶剤とのみからなるものであってもよいし、上記熱可塑性樹脂と溶剤とに加え、所望により配合する添加剤を添加してなるものであってもよい。
上記溶剤としては、上述の染料層用塗工液で挙げた溶剤と同様のものが挙げられる。
上記耐熱滑性層用塗工液において、固形分濃度は、使用する熱可塑性樹脂の種類等に応じて適宜選択することができるが、一般に５〜３０質量％である。
【００３０】
上記耐熱滑性層の乾燥後塗布量は、耐熱性等に優れた熱転写シートが得られる点で、２ｇ／ｍ２以下にするのが好ましく、更に好ましくは０．１〜１ｇ／ｍ２である。
【００３１】
本発明の熱転写シートは、上述のように、導電性コロイド状無機顔料超微粒子を用いて形成されたプライマー層を有するので、帯電防止性に優れている。
本発明の熱転写シートは、上記耐熱滑性層面側の表面抵抗率が２３℃、相対湿度６０％である環境下に、通常１．０×１０４〜１．０×１０１１Ω／□の範囲内にある。上記表面抵抗率は、好ましくは１．０×１０１０Ω／□以下にすることができ、また、上記範囲内であれば、１．０×１０７Ω／□以上であってもよく、１．０×１０８Ω／□以上であってもよい。
本明細書において、上記表面抵抗率は、ＪＩＳ  Ｋ  ６９１１に準拠して、温度２３℃及び相対湿度６０％の環境下で、表面抵抗測定機（Ｈｉｒｅｓｔａ  ＩＰ  ＭＣＰ−ＨＴ２５０、ダイアインスツルメンツ社製）にて、印加開始から１０秒後における耐熱滑性層面について測定した値である。
【００３２】
（その他の層）
本発明の熱転写シートは、画像形成後に画像面を保護する保護層を転写できるよう、更に、上述の熱転写色材層と面順次に転写保護層を形成したものであってもよい。
上記転写保護層の構成及び形成は、特に限定されず、使用する基材シート、染料層等の特徴に応じて、従来公知の技術より選択することができる。
上記転写保護層は、基材フィルムが離型性でない場合、基材フィルムと転写保護層との間に剥離層を設けて、転写保護層の転写性を向上させることが好ましい。
【００３３】
本発明の熱転写シートを用いた熱転写は、熱転写受像シート等の画像を形成する被転写体の表面に熱転写シートを重ね、所望の画像に対応した熱エネルギーを付与することにより、熱転写性色材層の染料等を被転写体に移行させることにより行うことができる。
上記熱エネルギーの付与手段は、公知の手段の何れであってもよく、また、熱転写プリンター等の記録装置にて記録時間の制御等を行うことにより、付与する熱エネルギー量を調整することができる。
本発明の熱転写シートは、耐熱性に優れるので、例えば１００ｍＪ／ｍｍ２程度の熱エネルギーを付与して印画を行っても、印画しわ等の印画時におけるトラブルが生じず、またサーマルヘッドの走行性も良い。
【発明の効果】
【００３４】
本発明の熱転写シートは、上記構成よりなるので、プライマー層と基材シートや耐熱滑性層との接着性に優れており、耐熱性が良く、印画時におけるトラブルが生じにくい。
本発明の熱転写シートは、バインダー樹脂を使用することなく、ゾルゲル法等のコーティング技術でプライマー層を形成することができるので、低い製造コストで作成することができる。
【発明を実施するための最良の形態】
【００３５】
以下に実施例及び比較例を挙げて本発明を更に詳しく説明するが、本発明はこれら実施例及び比較例のみに限定されるものではない。
なお、文中、部又は％とあるのは、特に断りのない限り質量基準である。
【００３６】
実施例１
基材シート（ポリエチレンテレフタレート〔ＰＥＴ〕フィルム、東レ社製、厚さ４．５μｍ）上に、下記組成のプライマー層用塗工液１を、乾燥後塗布量が０．２ｇ／ｍ２になるようにグラビアコーティングにて塗布し、１１０℃の熱風に１分間さらすことにより乾燥してプライマー層を形成した。
次に、上記プライマー層上に、下記組成の耐熱滑性層用塗工液を乾燥後塗布量が０．５ｇ／ｍ２になるようにグラビアコーティングにて塗布し、１００℃、１分間乾燥して耐熱滑性層を形成した。
更に、基材シートの耐熱滑性層と反対側の面上に、下記組成の染料層用塗工液を、乾燥後塗布量が０．７ｇ／ｍ２になるようにグラビアコーティングにて塗布し、８０℃、１分間乾燥して、熱転写シート１を得た。
【００３７】
＜プライマー層用塗工液１＞
・アルミナゾル（アルミナゾル１００、平均粒径１０〜２０ｎｍ、塩酸安定型、日産化学工業社製）                                                            ５０．０部
・水                                                                  ２５．０部
・イソプロピルアルコール                                              ２５．０部
＜耐熱滑性層用塗工液＞
・ポリアミドイミド樹脂（ＨＲ−１５ＥＴ、東洋紡績社製）                ５０．０部
・ポリアミドイミドシリコーン樹脂（ＨＲ−１４ＥＴ、東洋紡績社製）      ５０．０部
・ステアリル燐酸亜鉛（ＬＢＴ−１８３０精製、堺化学社製）              １０．０部
・ステアリン酸亜鉛（ＧＦ−２００、日本油脂社製）                      １０．０部
・ポリエステル樹脂（バイロン２２０、東洋紡績社製）                      ３．０部
・無機フィラー（タルク、平均粒径４．２μｍ）                          １０．０部
【００３８】
＜染料層用塗工液＞
・アントラキノン系染料（Ｃ．Ｉ．ソルベントブルー６３）                  ３．０部
・ポリビニルブチラール樹脂（エスレックＢＸ−１、積水化学工業社製）      ３．０部
・メチルエチルケトン                                                  ４５．５部
・トルエン                                                            ４５．５部
【００３９】
実施例２
下記組成のプライマー層用塗工液２を用いてプライマー層を形成した以外は、実施例１と同様にして、熱転写シート２を作製した。
＜プライマー層用塗工液２＞
・アルミナゾル（アルミナゾル２００、平均粒径１０〜２０ｎｍ、酢酸安定型、日産化学工業社製）                                                            ５０．０部
・水                                                                  ２５．０部
・イソプロピルアルコール                                              ２５．０部
【００４０】
比較例１
下記組成のプライマー層用塗工液３を用いてプライマー層を形成した以外は、実施例１と同様にして、熱転写シート３を作製した。
【００４１】
＜プライマー層用塗工液３＞
・スルホン化ポリアニリン（日東化学工業社製）                          ０．２５部
・水性ポリエステル（ポリエスターＷＲ−９６１、日本合成化学工業社製）  ４．７５部
・リン酸エステル系界面活性剤（プライサーフ２１７Ｅ、第一工業製薬社製）
０．２０部
・水                                                                  ４４．８部
・イソプロピルアルコール                                              ５０．０部
【００４２】
比較例２
下記組成のプライマー層用塗工液４を用いてプライマー層を形成した以外は、実施例１と同様にして、熱転写シート４を作製した。
＜プライマー層用塗工液４＞
・スルホン化ポリアニリン（日東化学工業社製）                            ０．６部
・ポリビニルピロリドン樹脂（Ｋ−１５、ＩＳＰ社製）                      ６．０部
・水                                                                  ４６．７部
・イソプロピルアルコール                                              ４６．７部
【００４３】
試験例
各実施例及び各比較例より得られた熱転写シートについて、以下の試験を行った。
１．接着性
各熱転写シートについて、耐熱滑性層側の接着性を粘着テープによる剥離試験にて調べた。粘着テープには、市販のメンディングテープ（サイズ：縦２００ｍｍ×横１２ｍｍ、ニチバン社製）を用いた。
評価基準は以下の通りである。
○：耐熱滑性層が基材から剥離しなかった。
△：耐熱滑性層が基材から部分的（試験面積の３０％以下）に剥離した。
×：耐熱滑性層が基材から完全に剥離した。
【００４４】
２．表面抵抗率
ＪＩＳ  Ｋ  ６９１１に準拠して、温度２３℃及び相対湿度６０％の環境下で、表面抵抗測定機（Ｈｉｒｅｓｔａ  ＩＰ  ＭＣＰ−ＨＴ２５０、ダイアインスツルメンツ社製）にて、印加開始から１０秒後の耐熱滑性層面について測定した値である。
【００４５】
３．印画シワ
昇華プリンター（三菱電機社製、商品名ＣＰ８０００Ｄ）で、Ｌ判サイズ（８９×１２７ｍｍ）専用ロールペーパーにベタ画像を印画し、熱転写シート１画面当たりに発生するシワの本数を目視にて確認した。
評価基準は以下の通りである。
○：シワ無し
△：シワ数１〜３本
×：シワ数３本超
【００４６】
４．プライマー層の熱負け
上記３．の印画条件にて印画後の耐熱滑性層側の表面を評価し、熱によってプライマー層が擦れ取られていないか目視にて確認した。プライマー層が擦れ取られていると、プライマー層が擦れ取られていることにより、該層上にある耐熱滑性層も擦り取られている。
評価基準は、以下の通りである。
○：プライマー層が擦れ取られていなかった。
×：プライマー層が擦れ取られていた。
【００４７】
評価結果を表１に示す。
【００４８】
【表１】
2006306089.tif 000003
【００４９】
アルミナゾルからなるプライマー層を有する熱転写シート１及び２は、帯電防止性に加え、接着性及び耐熱性の両方に優れていることが分かった。
一方、スルホン化ポリアニリンとポリエステル樹脂とからなるプライマー層を有する熱転写シート３は、プライマー層に熱負けが生じ、印画シワが生じること、また、スルホン化ポリアニリンとポリビニルピロリドン樹脂とからなるプライマー層を有する熱転写シート４は、プライマー層に熱負けは生じないが、印画シワが生じることが分かった。
【産業上の利用可能性】
【００５０】
本発明の熱転写シートは、上記構成よりなるので、プライマー層と基材シートや耐熱滑性層との接着性に優れており、耐熱性が良く、印画時におけるトラブルが生じにくい。
本発明の熱転写シートは、バインダー樹脂を使用することなく、ゾルゲル法等のコーティング技術でプライマー層を形成することができるので、低い製造コストで作成することができる。
【図面の簡単な説明】
【００５１】
【図１】本発明の熱転写シートの一例を示す断面図である。
【符号の説明】
【００５２】
１．基材シート
２．熱転写色材層
３．プライマー層
４．耐熱滑性層
【図１】
2006306089.tif 000004